【事件の表示】
　特願２００８−２２６９５９「レンズシート、面光源装置及び液晶表示装置」拒絶査定不服審判事件〔平成２２年　３月１８日出願公開、特開２０１０−　６０８８９〕について、次のとおり審決する。
【結　論】
　本件審判の請求は、成り立たない。
【理　由】
１　手続の経緯 
　本願は、平成２０年９月４日の出願であって、平成２４年９月６日付けで手続補正がなされ、平成２５年３月２９日付けで拒絶査定がなされ、これに対して、同年６月２７日付けで拒絶査定不服審判が請求され、当審において、同年８月６日付けで拒絶の理由（以下「当審拒絶理由」という。）が通知され、同年１０月２日付けで手続補正がなされたものである。
　なお、請求人は、平成２５年１０月２日付けで当審拒絶理由に対する意見書を提出している。
　
２　本願発明
　本願の請求項１ないし５に係る発明は、平成２５年１０月２日付けで補正された特許請求の範囲の請求項１ないし５に記載された事項によりそれぞれ特定されるものであるところ、その請求項１に係る発明は、平成２５年１０月２日付け補正後の明細書、特許請求の範囲及び図面の記載からみて、その特許請求の範囲の請求項１に記載されたとおりの次のものと認める。
　
「一次光源と、該一次光源から発せられる光が導入され導光され出射する導光体と、該導光体からの出射光が入光されるように配置されたレンズシートとからなり、
　該レンズシートは第１面及び第２面を持つシート状の透光性部材からなり、前記第１面には並列に配列された複数のレンズ列が形成されており、前記透光性部材は、透光性樹脂としてのアクリル系樹脂中に光拡散材としてのアクリル系樹脂微粒子を含有する光拡散層を有し、該光拡散層の凹凸形状の表面が前記第２面を形成しており、前記光拡散層のＪＩＳ　Ｋ　７１０５における０．２５ｍｍ幅の光学くしで測定した像鮮明性が３０％未満であり、
　前記導光体は前記一次光源から発せられる光が入射する光入射端面と導光された光が出射する光出射面とを備えており、前記一次光源は前記導光体の光入射端面に隣接して配置されており、前記レンズシートは前記第１面が前記導光体の光出射面に対向するようにして配置されていることを特徴とする面光源装置。」（以下「本願発明」という。）
　
３　刊行物の記載事項
　当審拒絶理由に引用した「本願の出願前に頒布された刊行物である国際公開第２００８／０９３４７８号（以下「引用例」という。）には、次の事項が図とともに記載されている（下線は審決で付した。以下同じ。）。
　
（１）「[0002]　近年、液晶ディスプレイの技術進歩は目覚しく、パソコンやテレビ、携帯電話等の表示装置として広く用いられている。これらの
液晶ディスプレイ
の裏面にバックライトユニットを設置
[0003]　バックライトユニットには種々の方式があるが、２種に大別される。一般的に最も多い方式は、直下型といわれる方式で、光源が照光面の内側にある方式である。この方式では多数の冷陰極線管等の光源を照光面の直下に配置することができるため、極めて高い輝度が得られ、また光損失が小さいという特徴を有している。そのため、大型液晶ＴＶなど大型で、かつ高い輝度が必要な液晶ディスプレイに多く用いられている。
[0004]　もう一方の方式は、
エッジライト型
透明なアクリル樹脂板などからなる導光板の一辺あるいは二辺に蛍光ランプ
等の略線状発光体を密着させ、
導光板内に光を導入する
[0005]　エッジライト型バックライトユニットの
導光板
は、端部より入射した光を前方に送
送られた光を液晶表示素子側に出射する
高品位の画像を得るために導光板上に光拡散性フィルムを設置し、導光板から出射した光を拡散、散乱させ
[0006]　これらの
バックライトユニットには、
光拡散性フィルムを透過した光をできるだけ正面方向に集めるように、プリズムシート、あるいはレンズシートと呼ばれる集光機能を有するシートが用いられる
[0007]　さらに、
上記プリズムシートの配設によって生じた輝度ムラやプリズムシートの欠陥を目立たなくする（隠蔽性を向上させる）ため、プリズムシートの表面側にも、光拡散性フィルムを配設する
　
（２）「[0041]　（３）光拡散層（Ｂ）の積層構成の制御
　本発明の表面光拡散性ポリエステルフィルムは、前記結晶性ホモポリエステルまたは、共重合成分を含む結晶性ポリエステルからなる支持層（Ａ）の少なくとも片面に、前記共重合成分を含む結晶性ポリエステルと該ポリエステルに非相溶性の添加剤との配合組成物からなる光拡散層（Ｂ）が共押出し法で積層された多層構造よりなることが重要である。
[0042]　
光拡散層（Ｂ）での光の拡散は、フィルムの表面構造に起因する散乱
非相溶性添加剤に起因する光拡散層（Ｂ）表面の凹凸構造により光拡散性を付与する
[0043]　
本発明の表面光拡散性ポリエステルフィルムをプリズムシートとして用いる場合には、支持層（Ａ）の片面に光拡散層（Ｂ）を積層したフィルムを基材とし、光拡散層（Ｂ）の反対面にプリズム構造を付与する
　
（３）「[0075]　（添加剤＜表面凹凸付与剤＞）
　
本発明における添加剤は、光拡散層表面に凹凸を付与し、表面光拡散性能を発現させる目的で添加される
上記添加剤は、ポリエステルに非相溶性の材料であれば何ら制限されるものではなく任意である
　
（４）「[0082]　（非溶融性ポリマー粒子）
　
本発明の添加剤として用いる
非溶融性ポリマー粒子
の組成は
例えば、アクリル系樹脂
が挙げられる
　
（５）「[0109]　また、光拡散性フィルムの光拡散性能は、例えば像鮮明度によって定量的に評価することができる。
像鮮明度とは
ＪＩＳ　Ｋ　７１０５
に準拠して測定する通常の方法で評価された像鮮明度である
像鮮明度が小さい程、隠蔽性が良好であり、光拡散性能が優れている
[0110]　
本発明の表面光拡散性ポリエステルフィルムでは、光学くし幅が２ｍｍの透過法において、４０％以下の像鮮明度を得ることが可能である
より好ましい像鮮明度の上限値は２０％、さらに好ましい上限値は１５％である
本発明において、像鮮明度の下限値は１％が好ましく、より好ましくは３％である
　
（６）上記（１）ないし（５）からみて、引用例には次の発明が記載されているものと認められる。
「液晶ディスプレイの裏面に設置されたエッジライト型バックライトユニットであって、
　透明なアクリル樹脂板などからなる導光板の一辺又は二辺である端部に蛍光ランプ等の略線状発光体を密着させ、前記導光板内に光を導入し、前記導光板は、前記端部より入射した光を前方に送り、送られた光は液晶表示素子側に出射され、
　高品位の画像を得るために前記導光板上に光拡散性フィルムを設置して前記導光板から出射した光を拡散、散乱させ、
　前記バックライトユニットには、前記光拡散性フィルムを透過した光をできるだけ正面方向に集めるように、プリズムシート又はレンズシートと呼ばれる集光機能を有するシートが用いられ、
　プリズムシートの配設によって生じた輝度ムラやプリズムシートの欠陥を目立たなくするため、すなわち隠蔽性を向上させるため、プリズムシートの表面側にも光拡散性フィルムを配設することが好ましいので、
　支持層の片面に光拡散層を積層したフィルムを基材とし、光拡散層の反対面にプリズム構造を付与した表面光拡散性ポリエステルフィルムを前記プリズムシートとして用い、表面に凹凸を付与し表面光拡散性能を発現させる目的で、前記光拡散層には、例えば、アクリル系樹脂のポリマー粒子である、ポリエステルに非相溶性の添加剤が添加されており、該光拡散層は、該添加剤に起因する表面の凹凸構造により光拡散性が付与され、
　前記表面光拡散性ポリエステルフィルムは、隠蔽性が良好で、光拡散性能が優れているものとするため、ＪＩＳ　Ｋ　７１０５に準拠して測定する像鮮明度を小さくしたものであり、具体的には、光学くし幅が２ｍｍの透過法において、像鮮明度の上限値が２０％、下限値が３％である、
　バックライトユニット。」（以下「引用発明」という。）
　
４　対比
（１）引用発明の「蛍光ランプ等の略線状発光体」、「透明なアクリル樹脂板などからなる導光板」、「導光板から出射した光」、「『プリズムシート』、『プリズムシート又はレンズシートと呼ばれる集光機能を有するシート』」、「光拡散層の反対面」、「支持層の片面」、「支持層の片面に光拡散層を積層したフィルムを基材とし、光拡散層の反対面にプリズム構造を付与した表面光拡散性ポリエステルフィルム」、「プリズム構造」、「ポリエステル」、「表面に凹凸を付与し表面光拡散性能を発現させる目的」、「例えば、アクリル系樹脂のポリマー粒子である、ポリエステルに非相溶性の添加剤」、「光拡散層」、「表面の凹凸構造」、「ＪＩＳ　Ｋ　７１０５」、「像鮮明度」、「『導光板の一辺又は二辺』であり『光』が『入射』する『端部』」、「『送られた光』が『出射され』る『導光板』の『液晶表示素子側』」及び「バックライトユニット」は、それぞれ、本願発明の「一次光源」、「導光体」、「導光体からの出射光」、「レンズシート」、「第１面」、「第２面」、「シート状の透光性部材」、「並列に配列された複数のレンズ列」、「透光性樹脂」、「光拡散材として」、「アクリル系樹脂微粒子」、「光拡散層」、「凹凸形状の表面」、「ＪＩＳ　Ｋ　７１０５」、「像鮮明性」、「一次光源から発せられる光が入射する光入射端面」、「導光された光が出射する光出射面」及び「面光源装置」に相当する。
　
（２）引用発明において、「導光体（透明なアクリル樹脂板などからなる導光板）」は、その「光入射端面（一辺又は二辺である端部）」に「一次光源（蛍光ランプ等の略線状発光体）」を密着させ、前記「導光体」内に光を導入し、前記「光入射端面（端部）」より入射した光を前方に送り、送られた光は「光出射面（液晶表示素子側）」に出射されるものであるから、引用発明の「導光体」と本願発明の「導光体」とは、「一次光源から発せられる光が導入され導光され出射する」点、及び、「前記一次光源から発せられる光が入射する光入射端面と導光された光が出射する光出射面とを備え」る点で一致し、引用発明の「一次光源」と本願発明の「一次光源」とは、「前記導光体の光入射端面に隣接して配置されて」いる点で一致する。
　
（３）引用発明の「レンズシート（プリズムシート又はレンズシートと呼ばれる集光機能を有するシート）」は、「導光体（導光板）」上に設置した光拡散性フィルムを透過した光をできるだけ正面方向に集めるようにするものであるから、前記「導光体」からの出射光が入光されるように配置されていること、及び、「並列に配列された複数のレンズ列（プリズム構造）」を付与した「第１面（光拡散層の反対面）」が前記「導光体」の光出射面に対向するようにして配置されていることが、当業者に自明である。
　したがって、引用発明の「レンズシート」と本願発明の「レンズシート」とは、「導光体からの出射光が入光されるように配置され」た点、及び、「前記第１面が前記導光体の光出射面に対向するようにして配置されている」点で一致する。
　
（４）引用発明において、「レンズシート（プリズムシート）」は、「第２面（支持層の片面）」に「光拡散層」を積層したフィルムを基材とし、「第１面（光拡散層の反対面）」に「並列に配列された複数のレンズ列（プリズム構造）」を付与した「シート状の透光性部材（表面光拡散性ポリエステルフィルム）」を用いたものであり、「光拡散材として（表面に凹凸を付与し表面光拡散性能を発現させる目的）」、前記「光拡散層」には、「アクリル系樹脂微粒子（例えば、アクリル系樹脂のポリマー粒子である、ポリエステルに非相溶性の添加剤）」が添加されており、該「光拡散層」は、該「アクリル系樹脂微粒子」に起因する「凹凸形状の表面（表面の凹凸構造）」により光拡散性が付与されているから、引用発明の「レンズシート」と本願発明の「レンズシート」とは、「第１面及び第２面を持つシート状の透光性部材からなり、前記第１面には並列に配列された複数のレンズ列が形成されて」いる点で一致し、引用発明の「シート状の透光性部材」と本願発明の「シート状の透光性部材」とは、「光拡散層を有し、該光拡散層の凹凸形状の表面が前記第２面を形成して」いる点で一致し、引用発明の「光拡散層」と本願発明の「透光性樹脂としてのアクリル系樹脂中に光拡散材としてのアクリル系樹脂微粒子を含有する光拡散層」とは、「透光性樹脂中に光拡散材としてのアクリル系樹脂微粒子を含有する」点で一致する。
　
（５）引用発明において、表面に凹凸を付与し表面光拡散性能を発現させる目的は、光拡散層に、例えば、アクリル系樹脂のポリマー粒子である、ポリエステルに非相溶性の添加剤が添加され、該光拡散層に、該添加剤に起因する表面の凹凸構造により光拡散性が付与されることで、達成されているから、引用発明の表面光拡散性ポリエステルフィルムの像鮮明度は光拡散層の像鮮明度とみなし得る。
　また、光学くしを用いて像鮮明性を測定する際、２ｍｍ幅の光学くしを用いた場合よりもそれより小さい幅の光学くしを用いた場合の方が像鮮明性の値は小さくなる（例．特開平１１−２３８１３号公報（【００２８】の表１参照。）、国際公開第２００８／０８４７４４号（［０１３３］の表１参照。））から、光学くし幅が２ｍｍの透過法において、「像鮮明性（像鮮明度）」の上限値が２０％、下限値が３％である引用発明の「光拡散層」を、ＪＩＳ　Ｋ　７１０５における０．２５ｍｍ幅の光学くしで「像鮮明性」を測定した場合、その値が２０％を超えないことが当業者に自明である。
　したがって、引用発明の「前記表面光拡散性ポリエステルフィルムは、隠蔽性が良好で、光拡散性能が優れているものとするため、ＪＩＳ　Ｋ　７１０５に準拠して測定する像鮮明度を小さくしたものであり、具体的には、光学くし幅が２ｍｍの透過法において、像鮮明度の上限値が２０％、下限値が３％である」点は、本願発明の「前記光拡散層のＪＩＳ　Ｋ　７１０５における０．２５ｍｍ幅の光学くしで測定した像鮮明性が３０％未満であ」る点に相当する。
　
（６）上記（１）ないし（５）から、本願発明と引用発明とは、
「一次光源と、該一次光源から発せられる光が導入され導光され出射する導光体と、該導光体からの出射光が入光されるように配置されたレンズシートとからなり、
　該レンズシートは第１面及び第２面を持つシート状の透光性部材からなり、前記第１面には並列に配列された複数のレンズ列が形成されており、前記透光性部材は、透光性樹脂中に光拡散材としてのアクリル系樹脂微粒子を含有する光拡散層を有し、該光拡散層の凹凸形状の表面が前記第２面を形成しており、前記光拡散層のＪＩＳ　Ｋ　７１０５における０．２５ｍｍ幅の光学くしで測定した像鮮明性が３０％未満であり、
　前記導光体は前記一次光源から発せられる光が入射する光入射端面と導光された光が出射する光出射面とを備えており、前記一次光源は前記導光体の光入射端面に隣接して配置されており、前記レンズシートは前記第１面が前記導光体の光出射面に対向するようにして配置されている、
　面光源装置。」の点で一致し、次の点で相違する。
　
相違点：
　前記「透光性樹脂」が、
　本願発明では、アクリル系樹脂であるのに対して、
　引用発明では、アクリル系樹脂ではない点。
　
５　判断
　上記相違点について検討する。
（１）アクリル系樹脂にアクリル系樹脂微粒子を分散させた光拡散層が設けられた、面光源装置に用いるプリズムシートは、本願出願前に周知である（以下「周知技術」という。例．国際公開第２００８／０６９３２０号（［００４０］、［００４３］、［００９２］参照。）、特開２００８−１３４６３１号公報（【００４０】、【００４４】参照。））。
　
（２）上記（１）からみて、引用発明において、支持層の片面に光拡散層を積層したフィルムを基材とし、光拡散層の反対面にプリズム構造を付与した表面光拡散性アクリル系樹脂フィルムをプリズムシートとして用いること、すなわち、引用発明において上記相違点に係る本願発明の構成となすことは、当業者が周知技術に基づいて適宜なし得た程度のことである。
　
（３）本願発明の奏する効果は、引用発明の奏する効果及び周知技術の奏する効果から当業者が予測することができた程度のものである。
　
（４）したがって、本願発明は、当業者が引用発明及び周知技術に基づいて容易に発明をすることができたものである。
　
６　むすび
　本願発明は、以上のとおり、当業者が引用例に記載された発明及び周知技術に基づいて容易に発明をすることができたものであるから、特許法第２９条第２項の規定により特許を受けることができない。
　よって、結論のとおり審決する。